(57)【特許請求の範囲】
【請求項１】
料金を投入して穀物を精米処理する精米設備において、
投入した料金に対応する時間、精米運転する通常精米運転モード及び、
無料で精米処理する時間帯を備えるサービス精米運転モードを行う制御部を備え、
サービス精米運転モードは、カウントした精米運転の累積回数に対して一定の割合で実施する構成とし、
カウントされていた累積回数が設定回数に到達していた場合に、一単価分である最低料金より多い投入金額の投入で精米運転を開始すると、サービス精米運転モードによる精米運転を行い、
カウントされていた累積回数が設定回数に到達していた場合に、一単価分の最低料金の投入で精米運転を開始した場合には、サービス精米運転モードによる精米運転を行わず、通常精米運転モードによる精米運転を行うことを特徴とする精米設備。
【請求項２】
カウントされていた累積回数が設定回数に到達していた場合に、一単価分の最低料金の投入で精米運転を開始した場合には、サービス精米運転モードによる精米運転を行わず、次回以降の利用者が一単価分である最低料金より多い投入金額の投入で精米運転を開始した場合にサービス精米運転モードによる精米運転を行うことを特徴とする請求項１記載の精米設備。
【請求項３】
料金を投入して穀物を精米処理する精米設備において、
投入した料金に対応する時間、精米運転する通常精米運転モード及び、
無料で精米処理する時間帯を備えるサービス精米運転モードを行う制御部を備え、
サービス精米運転モードは、カウントした投入料金の累積金額に対して一定の割合で実施する構成とし、
カウントされていた累積金額が設定金額に到達していた場合に、一単価分である最低料金より多い投入金額の投入で精米運転を開始すると、サービス精米運転モードによる精米運転を行い、
カウントされていた累積金額が設定金額に到達していた場合に、一単価分の最低料金の投入で精米運転を開始した場合には、サービス精米運転モードによる精米運転を行わず、通常精米運転モードによる精米運転を行うことを特徴とする精米設備。
【請求項４】
カウントされていた累積金額が設定金額に到達していた場合に、一単価分の最低料金の投入で精米運転を開始した場合には、サービス精米運転モードによる精米運転を行わず、次回以降の利用者が一単価分である最低料金より多い投入金額の投入で精米運転を開始した場合にサービス精米運転モードによる精米運転を行うことを特徴とする請求項３記載の精米設備。
【発明の詳細な説明】
【技術分野】
【０００１】
本発明は、不特定多数の利用者が利用する精米設備に関する。
【背景技術】
【０００２】
特許文献１には、投入料金に対応する時間、精米運転する精米設備の構成が記載されている。
【先行技術文献】
【特許文献】
【０００３】
【特許文献１】特開２０１４−４５３２号公報
【発明の概要】
【発明が解決しようとする課題】
【０００４】
本発明は、利用者による精米設備の利用の促進を図ることを課題とする。
【課題を解決するための手段】
【０００５】
かかる課題を解決するために、請求項１記載の発明は、
料金を投入して穀物を精米処理する精米設備において、
投入した料金に対応する時間、精米運転する通常精米運転モード及び、
無料で精米処理する時間帯を備えるサービス精米運転モードを行う制御部を備え、
サービス精米運転モードは、カウントした精米運転の累積回数に対して一定の割合で実施する構成とし、
カウントされていた累積回数が設定回数に到達していた場合に、一単価分である最低料金より多い投入金額の投入で精米運転を開始すると、サービス精米運転モードによる精米運転を行い、
カウントされていた累積回数が設定回数に到達していた場合に、一単価分の最低料金の投入で精米運転を開始した場合には、サービス精米運転モードによる精米運転を行わず、通常精米運転モードによる精米運転を行うことを特徴とする精米設備
とする。
【０００６】
請求項２記載の発明は、
カウントされていた累積回数が設定回数に到達していた場合に、一単価分の最低料金の投入で精米運転を開始した場合には、サービス精米運転モードによる精米運転を行わず、次回以降の利用者が一単価分である最低料金より多い投入金額の投入で精米運転を開始した場合にサービス精米運転モードによる精米運転を行うことを特徴とする請求項１記載の精米設備とする。
【０００７】
請求項３記載の発明は、
料金を投入して穀物を精米処理する精米設備において、
投入した料金に対応する時間、精米運転する通常精米運転モード及び、
無料で精米処理する時間帯を備えるサービス精米運転モードを行う制御部を備え、
サービス精米運転モードは、カウントした投入料金の累積金額に対して一定の割合で実施する構成とし、
カウントされていた累積金額が設定金額に到達していた場合に、一単価分である最低料金より多い投入金額の投入で精米運転を開始すると、サービス精米運転モードによる精米運転を行い、
カウントされていた累積金額が設定金額に到達していた場合に、一単価分の最低料金の投入で精米運転を開始した場合には、サービス精米運転モードによる精米運転を行わず、通常精米運転モードによる精米運転を行うことを特徴とする精米設備とする。
【０００８】
請求項４記載の発明は、
カウントされていた累積金額が設定金額に到達していた場合に、一単価分の最低料金の投入で精米運転を開始した場合には、サービス精米運転モードによる精米運転を行わず、次回以降の利用者が一単価分である最低料金より多い投入金額の投入で精米運転を開始した場合にサービス精米運転モードによる精米運転を行うことを特徴とする請求項３記載の精米設備とする。
【発明の効果】
【０００９】
本発明により、サービス運転の実施により、利用者の関心を惹き、当該精米設備の利用を促進させることができる。また、いわゆる大口の利用者にサービス精米運転を提供することができる。
【図面の簡単な説明】
【００１０】
【図１】正面から見た客室を示す図
【図２】平面から見た精米設備の内部を説明する図
【図３】精米設備の作業工程図
【図４】ブロック図
【図５】フローチャート
【図６】フローチャート
【図７】表示画面を示す図
【発明を実施するための形態】
【００１１】
本発明の実施の形態の精米設備について、以下説明する。
【００１２】
建屋１を仕切壁２で利用者が出入りする利用者室３と装置各部を配置する機械室４に仕切る。
【００１３】
利用者室３側には、利用者が持参した玄米を投入する投入ホッパ５と、投入ホッパ５の投入口を開閉する昇降式の開閉扉６と、利用者が精白度を選択する精白度選択スイッチ７と、料金投入口８と、釣銭返却口９と、精米運転の状況を表示する表示画面１０と、精米処理された精白米を収容する白米タンク１１を設ける。
【００１４】
機械室４側には、投入ホッパ５内に投入された玄米を繰り出すロータリバルブ１２と、玄米に混じる石を除去する石抜機１３と、石抜きされた玄米を精米処理する精米機１４を備える。また、ロータリバルブ１２で繰り出された玄米を石抜機１３に玄米を供給する第一昇降機１５と、石抜機１３で石抜き処理された玄米を精米機１４に供給する第二昇降機１６を設ける。また、精米機１４で精米処理された精白米を収容する白米タンク１１を備える。
【００１５】
精米設備を制御する制御部１７には、料金投入口８に投入した料金を検出するコインセンサ１８や、無洗米・上白・標準・分搗き等を選択する精白度選択スイッチ７や、投入ホッパ５内の玄米の有無を検出する穀物有無検出センサ１９の入力情報が入力される。また、制御部からは、精米機１４等の装置各部への出力情報や表示画面１０への表示情報が出力される。
【００１６】
次に、図５・図６に沿って、精米運転について説明する。
【００１７】
まず、通常の精米運転である通常精米運転のモードについて説明する。
利用者が料金を投入すると、開閉扉６が開動作する。利用者が投入ホッパ５に持参玄米を投入し、所望する精白度選択スイッチ７を操作すると、精米運転が開始される。そして、精米運転の回数のカウントがなされる。
【００１８】
通常は、投入料金に対応する時間、精米運転を行う。例えば、一単価を百円とし、百円につき約１０ｋｇ精米処理できるだけの時間（例えば１分）を精米運転する。そして、投入金額に見合う運転時間（例えば３００円投入で３分）が経過すると、精米運転が途中、すなわち投入した玄米が未だ存在していても精米運転は停止する。この場合、利用者が追加の料金を投入し、精白度選択スイッチ７を操作すると精米運転が再開される。
【００１９】
投入料金に見合う運転時間中に、投入玄米が設定量以下になったことを穀物有無検出センサ１９が検出すると、残りの玄米を精米処理する精米運転（終了運転）を行い、精米運転を停止する。なお、この終了運転中に料金分の運転時間が経過した場合は、精米運転を停止せずに、玄米を全て精米処理する。
【００２０】
終了運転を経て運転が停止した後に、運転時間に見合う料金以上の投入料金、すなわち、余った投入料金が発生した場合については釣銭として釣銭返却口９に返却される。
【００２１】
次に、精米運転が設定回数毎に投入料金見合う運転時間より長い時間精米運転ができるいわゆるサービス精米運転のモードについて説明する。
【００２２】
利用者が料金を投入し、精白度選択スイッチ７を操作して精米運転を開始した際、当該利用者が利用する前にカウントされていた累積回数が設定回数（例えば５０回）に到達していたとする。このとき、当該利用者が投入した料金が一単価分である最低料金より多い投入金額（例えば二単価分２００円以上）が投入されていたことを検出されていた場合に、表示画面１０は「当たり」を表示する（図６参照）。すると、制御部１７は、一単価分の料金のみを引き落とし、三単価分の運転時間が行えるように制御する。すなわち、一単価分の料金で三単価分の料金分の運転時間が行え、差し引き二単価分が無料による精米運転の時間帯となる。サービス精米運転による前述の無料による精米運転の時間帯が経過した際、未だ精米処理されていない玄米を検出している場合には、当該精米運転の開始前に投入した料金に基づく通常精米運転に移行する。また、サービス精米運転が実施されると、それまでカウントされていた精米運転の累積回数がクリアされ、新たな精米運転の回数のカウントが行われるようにする。
【００２３】
ここで、当該利用者が運転を行う時に、カウントされていた精米運転の累積回数が設定回数に到達していても、当該利用者が一単価分の最低料金のみの投入で精米運転を開始していた場合には、当該サービス精米運転は行わず、次回の利用者の精米運転に繰り延べられるように制御する。これは、一単価分しか精米運転を行う意思の無い利用者に対してはサービスで運転時間を延長する必要がないためである。そして、二単価分以上の精米運転を行う、いわゆる大口の利用者にサービス精米運転を実施できるようにするためである。
【００２４】
本実施の形態のサービス精米運転の回数のカウントは、前述の金切れによる精米運転を再開させた場合には、利用者が同じためカウントしない構成であるが、カウントする構成に設定してもよい。また、一単価分の最低料金分による通常精米運転についてはカウントしなくても良いし、しても良い。これは、精米設備の管理者が任意に設定可能にすることができる。また、サービス精米運転による延長時間についても精米設備の管理者が任意に設定可能である。
【００２５】
また、サービス精米運転は、精米運転の累積回数以外に、投入された累積金額（積算金額）が設定金額に到達する毎に行うようにすることも可能である（図６）。
【００２６】
また、本実施の形態のサービス精米運転のモードは、一単価分の料金の引き落としで複数単価分の運転時間を行う構成であるが、精米運転終了後に、サービス運転時間内に投入した玄米の精米処理が終了した場合には、投入した料金を全て返却する、いわゆる無料のサービス精米運転を行うようにしても良い。
【００２７】
本実施の形態のサービス精米運転は、簡単なプログラムにするため、累積回数毎（例えば５０回毎）や累積金額毎（例えば１万円毎）に行っているが、設定間隔毎以外に不定期に行うように制御部１７で設定しても良い。すなわち、サービス精米運転を行う割合が通常精米運転に対して一定の割合であれば良い（例えば５００回の通常精米運転に対してサービス運転が１０回以下又は累積金額１０万円に対してサービス精米運転が１０回以下）。つまり、場合によっては精米運転が２回連続でサービス精米運転である場合がありうる。本実施の形態の累積回数毎、累積金額毎によるサービス精米運転も前述の一定の割合の概念の中に含まれるものとする。
【００２８】
また、累積回数と累積金額を併用し、いずれか早く到達した場合にサービス精米運転を行うようにしても良い。
【００２９】
このような、サービス運転の実施により、利用者の関心を惹き、当該精米設備の利用を促進させることができる。
【００３０】
また、本実施の形態のサービス運転は、玄米を精米処理する玄米専用の精米設備について記載したが、籾を籾摺する料金式の籾摺設備や、籾・玄米の双方を精米処理する籾摺精米設備等、各種穀物の処理設備についても適用が可能である。
【００３１】
また、本実施の形態の精米設備は精米運転に使用されていない投入料金を返却できる釣銭返却口９を備えるものであるが、釣銭返却の機能が無い精米設備にもサービス精米運転は適用できる。この場合には、精米運転開始前に利用者が最低料金（一単価分）を投入した時点で当たり表示を行い、精米運転開始前まで、又はサービス精米運転による無料の精米運転の時間帯が終了間際になるまでは、追加料金の投入を規制するよう料金投入口８をロック機構（図示せず）でロックする構成にしても良い。
【符号の説明】
【００３２】
７    精白度選択スイッチ
８    料金投入口
１４    精米機
１７    制御部
【図１】
0006500758.tif 000002
【図２】
0006500758.tif 000003
【図３】
0006500758.tif 000004
【図４】
0006500758.tif 000005
【図５】
0006500758.tif 000006
【図６】
0006500758.tif 000007
【図７】
0006500758.tif 000008